(57)【要約】【課題】作業用仮設足場を外部に搬出する際の放射能検査を、広い面積を占有することなく少人数で簡易に実施する。【解決手段】仮設足場材（２）の放射能汚染を検出するための放射線検出器が備えられた放射線検出装置（１２）と、載置した仮設足場材を該放射線検出装置によって走査するように運搬するコンベア（２２）と、からなり、前記コンベアは仮設足場材を前方に運搬し、仮設足場材は前記放射線検出装置によって１以上の方向から走査される。ここで前記仮設足場材が略円筒型の足場パイプ（２ａ）であるときには、前記放射線検出装置は一方向から足場パイプを走査し、前記コンベアは足場パイプを軸回転させながら軸方向前方に運搬する。【選択図】  図４
2008111688.tif 000002
【特許請求の範囲】
【請求項１】
検査対象物である仮設足場材（２）の放射能汚染を検出するための放射線検出器が備えられた放射線検出装置（１２）と、載置した仮設足場材を該放射線検出装置によって走査するように運搬するコンベア（２２）と、からなり、
前記コンベアは仮設足場材を前方に運搬し、仮設足場材は前記放射線検出装置によって１以上の方向から走査される、ことを特徴とする作業用仮設足場の放射能汚染検査装置。
【請求項２】
前記仮設足場材は略円筒型の足場パイプ（２ａ）であり、
前記放射線検出装置（１２）は一方向から足場パイプを走査し、前記コンベア（２２）は足場パイプを軸回転させながら軸方向前方に運搬する、ことを特徴とする請求項１に記載の作業用仮設足場の放射能汚染検査装置。
【請求項３】
前記放射線検出装置（１２）は、ハンディータイプの放射線検出器（１４）を懸架台（１６）に掛け止めた構造を有し、上方、側方又は下方から前記仮設足場材（２）を走査する、ことを特徴とする請求項１又は２に記載の作業用仮設足場の放射能汚染検査装置。
【請求項４】
前記懸架台（１６）は、掛け止めたハンディータイプの放射線検出器（１４）の向きや位置を調節自在なフレキシブル構造を有する、ことを特徴とする請求項３に記載の作業用仮設足場の放射能汚染検査装置。
【請求項５】
前記コンベア（２２）にはその一端に、トラックの荷台のあおりに掛け止めるためのフック（２４）が形成されている、ことを特徴とする請求項１乃至４のいずれか一項に記載の作業用仮設足場の放射能汚染検査装置。
【発明の詳細な説明】
【技術分野】
【０００１】
本発明は、放射能汚染検査装置に関し、特に、原子力施設管理区域より搬出される仮設足場材（被測定物）への放射能汚染を検査するのに適した作業用仮設足場の放射能汚染検査装置に関する。
【背景技術】
【０００２】
従来から原子力施設管理区域内で使用された全てのものは、原子力施設管理区域外に搬出される際には必ず放射能汚染がないことを確認し、その安全性を担保した上で搬出が行われている。
【０００３】
そのための放射能汚染検査装置としては、例えば特許文献１に記載の「物品搬出モニタ」のように、放射線測定装置のスペース、重量および駆動部電源容量を削減し、放射線測定の処理能率を向上させた放射線計測装置が開示されている。
【特許文献１】特開２００５−８３９７８号公報
【発明の開示】
【発明が解決しようとする課題】
【０００４】
原子力施設では、高所の設備の点検・整備のために、足場パイプや足場踏板等を組み合わせた作業用仮設足場が設けられることも多い。原子力施設管理区域内で使用された作業用仮設足場は、その使用後には分解され全ての仮設足場材に放射能汚染がないことが確認された上で搬出が行われる。
【０００５】
これまで作業用仮設足場に放射能汚染がないことを確認するための検査は、様々な長さの足場パイプや足場踏板、クランプ等の仮設足場材（検査対象物）を重ならないようにして床一面に広げ、その上側（表面）からハンディータイプの放射線検出器（ガイガーカウンタ）などの装置をかざしてスキャンした後、床に広げた全ての検査対象物を裏返し、その上側（裏面）を再びスキャンすることによって行われていた。
【０００６】
このようにかかる作業は仮設足場材を床面に広げる必要性から広い面積が必要とされるばかりでなく、搬出口付近が占有されるため他の作業の妨げとなる虞があった。また仮設足場材を一面に並べる作業や一面に並べた仮設足場材を裏返す作業は大変な重労働であった。さらに放射線検出装置を用いて床一面に広げた仮設足場材をスキャンする作業は複数人で行われることが多いが、そのため一部の仮設足場材についてそのスキャンをし忘れる虞があった。
【０００７】
本発明は上記問題を解決するためになされたもので、その目的は原子力施設管理区域内で使用された作業用仮設足場を外部に搬出する際の放射能検査を、広い面積を占有することなく少人数で簡易に実施することを可能とする放射能汚染検査装置を提供することにある。
【課題を解決するための手段】
【０００８】
上記問題を解決するため本発明の放射能汚染検査装置は、検査対象物である仮設足場材（２）の放射能汚染を検出するための放射線検出器が備えられた放射線検出装置（１２）と、載置した仮設足場材を該放射線検出装置によって走査するように運搬するコンベア（２２）と、からなり、前記コンベアは仮設足場材を前方に運搬し、仮設足場材は前記放射線検出装置によって１以上の方向から走査される、ことを特徴とする。
【０００９】
ここで、前記仮設足場材（２）は略円筒型の足場パイプ（２ａ）であり、前記放射線検出装置（１２）は一方向から足場パイプを走査し、前記コンベア（２２）は足場パイプを軸回転させながら軸方向前方に運搬する、ものとすることも好ましい。
【００１０】
また、前記放射線検出装置（１２）は、ハンディータイプの放射線検出器（１４）を懸架台（１６）に掛け止めた構造を有し、上方、側方又は下方から前記仮設足場材（２）を走査する、ようにすることも好ましい。
【００１１】
ここで、前記懸架台（１６）は、掛け止めたハンディータイプの放射線検出器（１４）の向きや位置を調節自在なフレキシブル構造を有する、ものとする。
【００１２】
さらに、前記コンベア（２２）にはその一端に、トラックの荷台のあおりに掛け止めるためのフック（２４）が形成されている、ようにすることも好ましい。
【発明の効果】
【００１３】
本発明の放射能汚染検査装置によれば、コンベアに仮設足場材を載せ、この状態で仮設足場材を放射線検出装置によって走査して放射能汚染を検出することで、従来のように仮設足場材を床面に広げる必要がなくその作業を比較的狭い空間でも行うことが可能となる。また仮設足場材を床面に広げるための作業を省力化することができるだけではなく、検査作業もコンベアに仮設足場材を載せる者とコンベアから仮設足場材を下ろす者の二人で行うことができるようになる。さらに仮設足場材はコンベアに載せられてその放射能汚染をスキャンされながら移動するため、スキャン前の仮設足場材が上流側に、スキャン後の仮設足場材が下流側に分配され、スキャンし忘れの虞をなくすことができる。
【００１４】
また仮設足場材が略円筒型の足場パイプである場合には、足場パイプを軸回転させながら軸方向前方に運搬するコンベアを採用することで、一方向からのスキャンによって足場パイプの全周のスキャンが可能となり、高価な機器である放射線検出装置の必要台数を減少させることができる。
【００１５】
なお、放射線検出装置をハンディータイプの放射線検出器を懸架台に吊り掛けるものとすることで、これまで利用してきたハンディータイプの放射線検出器を利用してやることができ、装置導入のためのコストを低減することができる。
【００１６】
ここで懸架台を、掛け止めた放射線検出器の向きや位置を自在に調節可能なフレキシブル構造を有するものとしてやれば、必要に応じて仮設足場材との放射線検出器の向きや距離を容易に調節してやることができる。
【００１７】
また仮設足場材を運搬するコンベアの一端に、トラックのあおりに掛け止めるためのフックを形成してやれば、放射能汚染の検査と、トラックへの積み込みとを同時に行うことができ、仮設足場材の搬出作業を効率化することができる。
【発明を実施するための最良の形態】
【００１８】
本発明の放射能汚染検査装置は、原子力発電所の原子力施設管理区域内で使用されたもの、特に高所の設備の点検・整備のために使用された足場パイプや足場踏板などの仮設足場材への放射能汚染の有無の確認作業を効率的に行うためのものである。以下仮設足場を構成する各種仮設足場材について説明した後、本発明の実施例を図面を参照して説明する。
【００１９】
図１は種々の仮設足場材を説明するための斜視図である。なお各図の縮尺は区々となっている。
図１（ａ）は、仮設足場の横材となる横支柱２ａ’（足場パイプ２ａ）を示している。この横支柱２ａ’は、外径が６ｃｍ程度で、長さが０．４ｍ又は１．８ｍ程度のパイプの両端に、パイプと直行する一方向に伸長するクサビ部３が形成された構造を有している。
図１（ｂ）は、仮設足場の縦材となる縦支柱２ａ”（足場パイプ２ａ）を示している。この縦支柱２ａ”は、外径が６ｃｍ程度で、長さが１．８ｍ又は３．６ｍ程度のパイプの側面に、横支柱２ａ’の両端に形成された一方のクサビ部３を差し入れるための係止部４が所定の間隔に形成された構造を有している。また縦支柱２ａ”にはその両端開口内部に径方向に伸びる支持棒５が取り付けられている。
図１（ｃ）は、足場パイプ２ａを軸方向に接続して延長するための直線ジョイント２ｂを示している。この直線ジョイント２ｂは長さが０．３ｍ、外径が５ｃｍ程度の中空単管であり、その両端部には縦支柱両端開口の支持棒を掛け止めるためのＬ字型の切り欠き部６が形成されている。２本の縦支柱２ａ”の端部開口にこの直線ジョイント２ｂを挿入し、一方の縦支柱２ａ”を９０°程度捻ることで、縦支柱２ａ”の支持棒５に直線ジョイント２ｂの切り欠き部６が係止し、２本の縦支柱は接続される。
図１（ｄ）は、平行に立設する縦支柱２ａ”間に水平に取り付けられた平行する２本の横支柱２ａ’間にその両端が掛け止められて載せ置かれる足場踏板２ｃを示している。この足場踏板２ｃは縦０．４ｍ、横１．８ｍ程度の網目材に外枠を形成し、その短辺側にＵ字型のフック７を形成した構造を有している。
なお図面は省略するが仮設足場材には上述した以外にも、組み合わせた縦支柱および横支柱を補強するためのコーナーブラケットや筋交い、地面と接する固定ジャッキベース、各種手摺など様々な部材が存在する。
【００２０】
図２および図３は本発明の放射能汚染検査装置の一実施例を示した斜視図であり、図２は放射能汚染検査装置を構成する懸架台の側面図（図２（ａ））および平面図（図２（ｂ））、図３は放射能汚染検査装置を構成するコンベアの平面図（図３（ａ））および側面図（図３（ｂ））である。
【００２１】
この放射能汚染検査装置は、検査対象物である仮設足場材の放射能汚染を検出するための放射線検出器が備えられた放射線検出装置１２と、載置した仮設足場材を放射線検出装置１２によって走査するように運搬するコンベア２２とから構成されている。
【００２２】
放射線検出装置１２は、予め定めた規定値以上の放射能を検出した場合に、内蔵スピーカから警告音を鳴らすハンディータイプの放射線検出器１４を、スタンド状の懸架台１６に掛け止めた構造を有している。
【００２３】
この懸架台１６は、地面と接する十分な重量の脚部１６ａと軽量な多関節のアーム部１６ｂとから構成され、アーム部先端に掛け止めたハンディータイプの放射線検出器１４の向きや位置を調節自在なフレキシブル構造を有している。これにより懸架台１６に取り付けられた放射線検出器１４は、高さが１〜２ｍ程度の範囲内で自由な向きに移動させることができるようになっている。
【００２４】
コンベア２２は、全体として幅０．９ｍ、長さ８ｍ程度の大きさを有しており、その上に載置した仮設足場材２を自動的に運搬する。
より詳細にはこのコンベア２２は、コンベアの骨格を形成する外枠２２ａと、コンベア長手方向に対して傾斜した状態で等間隔に平行に並んだ複数の車軸２５に取り付けられた複数のタイヤ２７と、このタイヤ２７が取り付けられた車軸２５を回転させるための回転手段２９とから構成されている。なお外枠２２ａには載置した仮設足場材２がコンベア２２上からずれ落ちることのないように、その長手側両側に立設する壁部３１が形成されている。また外枠２２ａの下方四隅には脚部３３が形成されており、外枠２２ａの一端には、図４の使用態様に示したようにトラックの荷台のあおりに掛け止めるためのフック２４が形成されている。
車軸２５に取り付けられた複数のタイヤ２７は、その直径が１５ｃｍ程度、幅が３ｃｍ程度の例えばゴム製タイヤであり、隣接するタイヤ同士の間から、例えば直線ジョイント２ｂなどの比較的小さな仮設足場材２が抜け落ちない程度の間隔を空けて配置されている。コンベア２２長手方向に対して傾斜する複数のタイヤは、コンベア長手方向に整然と並ぶように配置されている。ここで隣接する複数の車軸２５とタイヤ２７とは互いに接触しており、電動モータなどの回転手段２９が一の車軸を回転させると全ての車軸２５が同じ回転速度で回転するようになっている。なお車軸２５とタイヤ２７を接触させる代わりに、ベルト又は歯車によって全ての車軸を連結することで、全てのタイヤの回転を連動させてやってもよい。以上に説明したコンベア２２では複数の車軸２５に取り付けられた複数のタイヤ２７は、図３に矢印で示したようにコンベア長手方向に対して傾斜した状態で一方向に回転する。
【００２５】
次に本実施例の放射能汚染検査装置を用いた仮設足場材の検査態様について説明する。
【００２６】
コンベア２２に載置される仮設足場材２が、図１（ａ）に示した横支柱２ａ’や図１（ｂ）に示した縦支柱２ａ”などの略円筒型の足場パイプ２ａである場合、寝かせた状態でコンベアに載置された足場パイプ２ａは、コンベア２２の複数タイヤ２７に載ってその回転により軸回転しながら軸方向前方へと運搬される。
ここで横支柱２ａ’にはその両端部にクサビ部３が、縦支柱２ａ”にはその側面に係止部４が形成されているため、単純な円筒（パイプ）ではなく突起がある構造となっているが、複数の車軸２５に取り付けられて所定間隔で並んだ複数のタイヤ２７の間には一定の空間が形成されているため、このタイヤ間の空間を利用することで多少の突起がある足場パイプ２ａであっても、その突起３，４がタイヤ２７間の空間に逃げその軸回転が可能となる。
このように仮設足場材２が略円筒型の足場パイプ２ａである場合には、足場パイプを軸回転させながら軸方向前方に運搬することで、足場パイプ２ａを例えば上側からのみ放射線検出装置１２で放射能汚染をスキャンする場合にも、その全周のスキャンが可能となり、放射線検出装置１２の必要台数を減少させることができる。
【００２７】
一方コンベア２２に載置される仮設足場材２が、図１（ｄ）に示した足場踏板２ｃやコーナーブラケット、筋交い、固定ジャッキベース、各種手摺などの面形や複雑な形状をしたものである場合には、これらの仮設足場材２はコンベア２２のタイヤ２７の回転によって回転することができず、まず斜め前方向に運搬される。そしてコンベア２２の壁部３１と衝突した後には、壁部と摺接しながらこれに沿ってコンベア前方へと運搬される。
このように仮設足場材２が面形や複雑な形状をしたものである場合には、これらをコンベア２２の一壁面側によせた状態で運搬することで、放射線検出装置でスキャンする範囲を絞り込むことができ、放射線検出装置の必要台数も減少させることができる。
【００２８】
なお放射線検出装置１２を、必要に応じてコンベアの周りに２台以上設置することも勿論可能である。特に仮設足場材２が足場パイプ２ａではなくコンベア２２のタイヤ２７によっても軸回転しない仮設足場材である場合には、少なくとも仮設足場材２の上側と下側の二方向から放射能汚染の有無を放射能検出器１４でスキャンしてやることが好ましい。
【００２９】
以上に説明したように、本実施例の放射能汚染検査装置によれば、コンベアに載せた状態で仮設足場材の検査をするため、これまでのように仮設足場材を床面に広げる必要がなく作業を比較的狭い空間でも行うことが可能となる。またコンベアの利用により検査作業を省力化することができるとともにスキャンし忘れの虞もなくなる。なお仮設足場材が足場パイプである場合には、これを軸回転させることで一方向からのスキャンによって足場パイプの全周を検査しながら運搬することができ、また仮設足場材が足場踏板などである場合には、これをコンベアの一壁面側に偏らせた状態で運搬することで、放射線検出装置でスキャンする範囲を絞り込むことができる。
【００３０】
なお本発明は、作業用の仮設足場材の放射能汚染の有無を調べるための検査作業を、少ない作業スペースで効率的かつ確実に行うことができるものであれば上述した発明の実施の形態に限定されず、本発明の要旨を逸脱しない範囲で種々変更できることは勿論である。
【産業上の利用可能性】
【００３１】
本発明の放射能汚染検査装置は、電力事業者の原子力施設での使用に限定されず、放射能汚染を検査することが必要なあらゆる場面全般に有効に使用することができる。
【図面の簡単な説明】
【００３２】
【図１】種々の仮設足場材を説明するための斜視図である。
【図２】放射能汚染検査装置を構成する懸架台の側面図および平面図である。
【図３】放射能汚染検査装置を構成するコンベアの平面図および側面図である。
【図４】放射能汚染検査装置の使用態様を表した図である。
【符号の説明】
【００３３】
２  仮設足場材
２ａ  足場パイプ
２ａ’  横支柱
２ａ”  縦支柱
２ｂ  直線ジョイント
２ｃ  足場踏板
３  クサビ部
４  係止部
５  支持棒
６  切り欠き部
７  フック
１０  放射能汚染検査装置
１２  放射線検出装置
１４  放射線検出器
１６  懸架台
１６ａ  脚部
１６ｂ  アーム部
２２  コンベア
２２ａ  外枠
２４  フック
２５  車軸
２７  タイヤ
２９  回転手段
３１  壁部
３３  脚部
【図１】
2008111688.tif 000003
【図２】
2008111688.tif 000004
【図３】
2008111688.tif 000005
【図４】
2008111688.tif 000006